(57)【特許請求の範囲】
【請求項１】
柄杆の先端側に回転刃かつ基端側にエンジンがそれぞれ取り付けられ、さらに柄杆の中間部にはスロットルレバーの付いた両手ハンドルが着脱可能に装着されると共にこの両手ハンドルと前記エンジンとの間の柄杆の部分にファーストグリップ兼用クッションが取り付けられてなる動力刈払機であって、
前記柄杆から外した両手ハンドルからさらに外した前記スロットルレバーを柄杆に着脱可能に取り付けるためのスロットルレバーホルダーと、前記両手ハンドルを外した後の柄杆の部分に取り付けた前記スロットルレバーホルダーと前記ファーストグリップ兼用クッションとの間の柄杆の部分に着脱可能に装着することのできるセカンドグリップとを備えたことを特徴とする動力刈払機。
【発明の詳細な説明】
【技術分野】
【０００１】
本発明は、刈払作業を行うときに作業者が携帯して使用する動力刈払機に関するものである。
【背景技術】
【０００２】
この種の動力刈払機としては、一般的に両手ハンドル式のものが利用されている。両手ハンドル式動力刈払機は、図６に示すような構成をしていて、ショルダーベルト１を掛けてクッション２を腰にあてた状態で、柄杆３の中間部にある両手ハンドル４を両手で保持してエンジン５により駆動される回転刃６により刈払作業を行う。なお、両手ハンドル４にはスロットルレバー７が付いている。
【０００３】
刈払作業は殆どの場合、この両手ハンドル４を両手で握って行うが、特に傾斜地や狭い場所での刈払作業のときには、図７に示すようなツーグリップ式のものを利用している。ツーグリップ式動力刈払機では、両手ハンドル４に変えてファーストグリップ８とセカンドグリップ９とを有しているので、両手で柄杆３を持つようにして，つまり掃除機（箒）を持つようにして刈払作業ができるようになり、斜面に合わせて順手や逆手に自在に持ち替えて容易に斜面の刈払作業ができるという利点がある。
【発明の開示】
【発明が解決しようとする課題】
【０００４】
解決しようとする問題は、刈払作業時にはあらゆる作業状況を考えて両手ハンドル式動力刈払機の他にツーグリップ式動力刈払機をも準備しておくと作業性が良いことは解っているので、作業者としては必要か否かに係わらずツーグリップ式動力刈払機を準備する必要があり、そのために刈払機の準備台数が２台となり、刈払作業が大がかりになればなるほどその台数が倍々に増えて、経費が掛かるは勿論，その運搬・場所等の扱いにも割高になるという点である。
【課題を解決するための手段】
【０００５】
本発明は、ファーストグリップ兼用クッションを備えた両手ハンドル式動力刈払機であって、柄杆から外した両手ハンドルからさらに外したスロットルレバーを柄杆に着脱可能に取り付けるためのスロットルレバーホルダーと、両手ハンドルを外した後の柄杆の部分に取り付けたスロットルレバーホルダーと前記ファーストグリップ兼用クッションとの間の柄杆の部分に着脱可能に装着することのできるセカンドグリップとを備えたことを特徴とする。
【発明の効果】
【０００６】
本発明は、両手ハンドル式動力刈払機の付属品として、着脱可能なスロットルレバーホルダーとセカンドグリップとをセットとして付けることにより、両手ハンドル式動力刈払機を必要台数分準備するだけでツーグリップ式動力刈払機も必要台数分準備したことになるので、経費が半減する上、その運搬・場所等の扱いも縮小されるという効果がある。
【発明を実施するための最良の形態】
【０００７】
ファーストグリップ兼用クッションを備えた両手ハンドル式のものに、スロットルレバーを柄杆に着脱可能に取り付けるためのスロットルレバーホルダーと、このスロットルレバーホルダーとファーストグリップ兼用クッションとの間の柄杆の部分に着脱可能に装着することのできるセカンドグリップとを装備することにより、実現した。
【実施例】
【０００８】
本発明の一実施例を図１〜図５について説明する。図１は両手ハンドル式の使用状態を示す図、図２は図１から両手ハンドルを外した状態を示す図、図３はツーグリップ式の使用状態を示す図、図４は図３に示すように取り付ける前のスロットルレバーホルダーを示す分解図、図５は図３に示すように取り付ける前のセカンドグリップを示す分解図で、図中前記した従来のものと同一又は相当部分には同一符号を付して説明を省略する。
【０００９】
図において、１０はエンジン５に近い柄杆３の部分に取り付けたファーストグリップ兼用クッションで、図１に示すように両手ハンドル４が柄杆３に取り付けられた両手ハンドル式の状態では腰当て用の「クッション」として利用され、図３に示すようにツーグリップ式の状態では「ファーストグリップ」として利用される。
【００１０】
１１は両手ハンドル４を外した後の柄杆３の部分に着脱可能に取り付けたスロットルレバーホルダーで、上方の全長割れ目１１ａから柄杆３に嵌め込んでネジ１１ｂ，ナット１１ｃにより柄杆３に固着する。なお、図２，図４に示すように両手ハンドル４から外したスロットルレバー７は、その差し込み部７ａをスロットルレバーホルダー１１の軸部１１ｄに嵌め込むことにより、図３に示すようにスロットルレバーホルダー１１に固着する。
【００１１】
１２は両手ハンドル４を外した後のスロットルレバーホルダー１１とファーストグリップ兼用クッション１０との間の柄杆３の部分に着脱可能に取り付けたセカンドグリップで、図５に示すようにグリップ本体１２Ａをその全長割れ目１２ａから柄杆３に嵌め込んだ後，結合具１２Ｂを全長割れ目１２ａに長手方向に挿入して止め、両端締付具１２Ｃをネジ１２ｂ，ナット１２ｃにより締め付けることにより、図３に示すように柄杆３に固着する。なお、結合具１２Ｂは、全長割れ目１２ａへの挿入時にスロットルレバー７のワイヤー７ｂをグリップ本体１２Ａにとじ込むための溝１２ｄを有している。
【００１２】
図１に示す状態では両手ハンドル式であるので、ショルダーベルト１を掛けてファーストグリップ兼用クッション１０を腰にあてた状態で、柄杆３の中間部にある両手ハンドル４を両手で保持してエンジン５により駆動される回転刃６により刈払作業を行う。
【００１３】
次に、図１の状態において、両手ハンドル４を柄杆３から外し，さらに両手ハンドル４からスロットルレバー７を外す（図２の状態）。両手ハンドル４を外した後の柄杆３の部分にスロットルレバーホルダー１１を取り付け、このスロットルレバーホルダー１１に先に外したスロットルレバー７を取り付ける。このスロットルレバーホルダー１１とファーストグリップ兼用クッション１０との間の柄杆３の部分にセカンドグリップ１２を取り付ける。
【００１４】
こうすることによって、図３に示すように両手ハンドル４に変えてファーストグリップ兼用クッション１０とセカンドグリップ１２とを有するツーグリップ式になるので、両手で柄杆３を持つようにして，つまり掃除機（箒）を持つようにして刈払作業ができるようになる。
【００１５】
以上の説明から、両手ハンドル式動力刈払機の付属品として、着脱可能なスロットルレバーホルダーとセカンドグリップとをセットとして付けることにより、両手ハンドル式動力刈払機を必要台数分準備するだけでツーグリップ式動力刈払機も必要台数分準備したことになるので、経費が半減する上、その運搬・場所等の扱いも縮小される。
【００１６】
上記実施例では、結合具１２Ｂの溝１２ｄにスロットルレバー７のワイヤー７ｂをとじ込むとして説明したが、図示省略するがスロットルレバー７にエンジン停止スイッチを有するものにおいては、このエンジン停止スイッチのリード線も前記ワイヤー７ｂと一緒に溝１２ｄにとじ込むようになっている。
【産業上の利用可能性】
【００１７】
本発明は、刈払作業を行うときに作業者が携帯して使用する動力刈払機に広く活用できる。
【図面の簡単な説明】
【００１８】
【図１】本発明の一実施例を示す両手ハンドル式の使用状態図である。
【図２】図１から両手ハンドルを外した状態を示す図である。
【図３】ツーグリップ式の使用状態を示す図である。
【図４】図３に示すように取り付ける前のスロットルレバーホルダーを示す分解図である。
【図５】図３に示すように取り付ける前のセカンドグリップを示す分解図である。
【図６】従来の両手ハンドル式のものを示す図である。
【図７】従来のツーグリップ式のものを示す図である。
【符号の説明】
【００１９】
１：ショルダーベルト
３：柄杆
４：両手ハンドル
５：エンジン
６：回転刃
７：スロットルレバー
７ａ：差し込み部
７ｂ：ワイヤー
１０：ファーストグリップ兼用クッション
１１：スロットルレバーホルダー
１１ａ：全長割れ目
１１ｄ：軸部
１２：セカンドグリップ
１２Ａ：グリップ本体
１２Ｂ：結合具
１２Ｃ：両端締付具
１２ａ：全長割れ目
１２ｄ：溝
【図１】
0004620563.tif 000002
【図２】
0004620563.tif 000003
【図３】
0004620563.tif 000004
【図４】
0004620563.tif 000005
【図５】
0004620563.tif 000006
【図６】
0004620563.tif 000007
【図７】
0004620563.tif 000008